(57)【要約】【課題】レジカウンタの客側通路を狭めずに、商品販売エリアも犠牲にせずに、お客が立ち止まる箇所に販売したい商品を効果的に展示陳列する。【解決手段】商品販売什器６は、販売しようとする所定の商品を載置するための商品載置具（半球状の透明容器）６ａと、入口側かご載置部２ａの載置面の上方に商品載置具６ａを配置して支持するためのポール状の支持部６ｂと、該支持部６ｂをテーブル部２に固定する固定具６ｃとからなると共に、入口側かご載置部２ａの載置面と商品載置具６ａとの間には、バーコード入力待ちの購入商品が収容された買い物かごＫを載置するための充分な空間が確保されている。【選択図】図１
2013255609.tif 000002
【特許請求の範囲】
【請求項１】
客側通路の入口側に設けられ、バーコード入力待ちの購入商品が収容された買い物かごを載置する載置面を有する第１のかご載置部と、前記バーコード入力待ちの購入商品についてバーコード入力作業を行う作業部と、客側通路の出口側に設けられ、バーコード入力済の購入商品が収容される買い物かごを載置する載置面を有する第２のかご載置部とを備えるテーブル部と、
前記第１のかご載置部に設置されて、所定の商品を販売するための商品販売什器とを備え、
該商品販売什器は、販売しようとする前記所定の商品を載置するための商品載置具と、前記第１のかご載置部の前記載置面の上方に前記商品載置具を配置して支持するための支持部と、該支持部を前記テーブル部に固定する固定具とからなると共に、
前記第１のかご載置部の前記載置面と前記商品載置具との間には、前記バーコード入力待ちの購入商品が収容された前記買い物かごを載置するための充分な空間が確保されていることを特徴とする商品販売什器を備えるレジカウンタ。
【請求項２】
前記商品販売什器は、前記商品載置具が、商品を載置する台又は容器からなると共に、前記支持部が、その上端部が屈曲又は湾曲された棒状部材からなり、かつ、
前記第１のかご載置部の所定の周縁部には、前記固定具で固定されることで、前記棒状部材が略垂直に立設され、前記棒状部材の上端部が前記第１のかご載置部の前記載置面の上方に配置されていて、前記棒状部材の上端部には、商品を載置する前記台又は容器が吊止めされていることを特徴とする請求項１記載の商品販売什器を備えるレジカウンタ。
【請求項３】
前記商品販売什器は、前記商品載置具が、商品を載置する台又は容器からなると共に、前記支持部が、垂直枠体と、該垂直枠体から水平に突出する水平枠体とからなり、かつ、
前記第１のかご載置部の所定の周縁部には、前記固定具で固定されることで、前記垂直枠体が略垂直に立設され、前記水平枠体が前記第１のかご載置部の前記載置面の上方に突出する態様で配置されていて、前記水平枠体には、商品を載置する前記台又は容器が載置されていることを特徴とする請求項１記載の商品販売什器を備えるレジカウンタ。
【請求項４】
請求項１、２又は３記載の商品販売什器を備えるレジカウンタの構成要素として用いられることを特徴とする商品販売什器。
【発明の詳細な説明】
【技術分野】
【０００１】
この発明は、商品を陳列して又は盛り積みするための商品販売什器及びこれを備えるレジカウンタに係り、詳しくは、スーパマーケットなどの店舗で用いて好適な商品販売什器及びこれを備えるレジカウンタに関する。
【背景技術】
【０００２】
レジカウンタ周りに設置される商品販売什器としては、特許文献１に記載の商品陳列用のウイング什器を備える商品陳列棚が知られている。特許文献１に記載の商品陳列棚は、レジ横などに設置されて、レジが休止しているときは、ウイング什器に対する簡単な回動操作で、ウイング什器の正面が商品陳列棚本体の正面と同一面となるように配置し、レジを使用しているときは、ウイング什器の裏面を商品陳列棚本体の側面に当接させる構成とすることで、レジの使用、不使用時のお客の動線に合わせた最適な商品陳列状態を具現できるようにしている。
【先行技術文献】
【特許文献】
【０００３】
【特許文献１】特開２００６−１１５９６２号公報
【発明の概要】
【発明が解決しようとする課題】
【０００４】
しかしながら、特許文献１に記載のウイング什器にあっては、レジの使用時には、レジカウンタの客側通路を狭め、購入商品に対する支払いを済まそうとするお客の通行を妨げるという不具合がある。もしも、レジカウンタの客側通路を広げるなら、その分、商品販売エリアが犠牲となるので、これも不都合である。
【０００５】
この発明は、上述の事情に鑑みてなされたもので、レジカウンタの客側通路を狭めることも、商品販売エリアを犠牲にすることもなく、お客が立ち止まる箇所に販売したい商品を効果的に展示陳列することができる商品販売什器及びこれを備えるレジカウンタを提供することを目的としている。
【課題を解決するための手段】
【０００６】
上記課題を解決するために、この発明の第１の構成は、商品販売什器を備えるレジカウンタに係り、客側通路の入口側に設けられ、バーコード入力待ちの購入商品が収容された買い物かごを載置する載置面を有する第１のかご載置部と、上記バーコード入力待ちの購入商品についてバーコード入力作業を行う作業部と、客側通路の出口側に設けられ、バーコード入力済の購入商品が収容される買い物かごを載置する載置面を有する第２のかご載置部とを備えるテーブル部と、上記第１のかご載置部に設置されて、所定の商品を販売するための商品販売什器とを備え、該商品販売什器は、販売しようとする上記所定の商品を載置するための商品載置具と、上記第１のかご載置部の載置面の上方に上記商品載置具を配置して支持するための支持部と、該支持部を上記テーブル部に固定する固定具とからなると共に、上記第１のかご載置部の載置面と上記商品載置具との間には、上記バーコード入力待ちの購入商品が収容された上記買い物かごを載置するための充分な空間が確保されていることを特徴としている。
【０００７】
この発明の第２の構成は、上記商品販売什器は、上記商品載置具が、商品を載置する台又は容器からなると共に、上記支持部が、その上端部が屈曲又は湾曲された棒状部材からなり、かつ、上記第１のかご載置部の所定の周縁部には、上記固定具で固定されることで、上記棒状部材が略垂直に立設され、上記棒状部材の上端部が上記第１のかご載置部の上記載置面の上方に配置されていて、上記棒状部材の上端部には、商品を載置する上記台又は容器が吊止めされていることを特徴としている。
【０００８】
この発明の第３の構成は、上記商品販売什器は、上記商品載置具が、商品を載置する台又は容器からなると共に、上記支持部が、垂直枠体と、該垂直枠体から水平に突出する水平枠体とからなり、かつ、上記第１のかご載置部の所定の周縁部には、上記固定具で固定されることで、上記垂直枠体が略垂直に立設され、上記水平枠体が上記第１のかご載置部の上記載置面の上方に突出する態様で配置されていて、上記水平枠体には、商品を載置する上記台又は容器が載置されていることを特徴としている。
【発明の効果】
【０００９】
この発明の構成によれば、商品販売什器が、販売したい商品を載置するための商品載置具と、第１のかご載置部の載置面の上方に上記商品載置具を配置して支持するための支持部と、該支持部をテーブル部に固定する固定具とからなると共に、上記第１のかご載置部の載置面と上記商品載置具との間には、バーコード入力待ちの購入商品が収容された買い物かごを載置するための充分な空間が確保されているので、レジカウンタの客側通路を狭めることも、商品販売エリアを犠牲にすることもなく、お客が立ち止まる箇所に販売したい商品を効果的に展示陳列することができる。
【図面の簡単な説明】
【００１０】
【図１】この発明の第１の実施形態である商品販売什器を備えるレジカウンタの概略構成を示す斜視図である。
【図２】同商品販売什器の構成を示す斜視図である。
【図３】同商品販売什器の構成を分解して示す分解組立図である。
【図４】この発明の第２の実施形態である商品販売什器を備えるレジカウンタの概略構成を示す斜視図である。
【図５】同商品販売什器の構成を示す斜視図である。
【図６】同商品販売什器の構成を分解して示す分解組立図である。
【図７】同第１の実施形態の変形例である商品販売什器の概略構成を示す斜視図である。
【発明を実施するための形態】
【００１１】
商品販売什器を、販売したい商品を載置するための商品載置具と、第１のかご載置部の載置面の上方に上記商品載置具を配置して支持するための支持部と、該支持部をテーブル部の所定の周縁部に固定する固定具とから構成すると共に、上記第１のかご載置部の載置面と上記商品載置具との間に、バーコード入力待ちの購入商品が収容された買い物かごを載置するための充分な空間を確保することで、レジカウンタの客側通路を狭めることも、商品販売エリアを犠牲にすることもなく、お客が立ち止まる箇所に販売したい商品を効果的に展示陳列できるようにする、というこの発明の目的を達成した。
【実施形態１】
【００１２】
以下、図面を参照して、この発明の実施形態について説明する。
図１は、この発明の第１の実施形態である商品販売什器を備えるレジカウンタの概略構成を示す斜視図、図２は、同商品販売什器の構成を示す斜視図、また、図３は、同商品販売什器の構成を分解して示す分解組立図である。
【００１３】
この実施形態のレジカウンタ１Ａは、図１に示すように、テーブル部２と、バーコード入力部３と、該バーコード入力部３で取得された購買情報に基づいて会計処理を行うレジスタ本体４と、該レジスタ本体４を載置するレジスタ台５と、吊下げ式の商品販売什器６とから概略構成されている。
【００１４】
上記テーブル部２は、図１に示すように、客側通路の入口側に設けられ、バーコード入力待ち（バーコード入力前）の購入商品が収容された買い物かごＫを載置する載置面を有する入口側かご載置部（第１のかご載置部）２ａと、上記バーコード入力待ちの購入商品について、バーコード入力部３を操作してバーコード入力を行う入力作業部２ｂと、客側通路の出口側に設けられ、バーコード入力済の購入商品が収容される買い物かごを載置する載置面を有する出口側かご載置部（第２のかご載置部）２ｃとから概略構成されている。
【００１５】
次に、この実施形態の商品販売什器６は、図１に示すように、入口側かご載置部２ａに配置されて使用される。入口側かご載置部２ａは、購入商品に対する支払いを済まそうとするお客が買い物かごＫを載置面に載置して並ぶ箇所であり、並ばなくとも、買い物かごＫを載置面に載置して、レジ係りに買い物かごＫを渡す際、必ず立ち止まる箇所（レジ滞留箇所）であるので、お客の目に留まりやすく、販売したい商品の展示陳列場所として、好適である。
上記商品販売什器６は、図１乃至図３に示すように、販売しようとする所定の商品を載置するための商品載置具６ａと、入口側かご載置部２ａの載置面の上方に商品載置具６ａを配置して支持するためのパイプ状の支持部６ｂと、該支持部６ｂをテーブル部２に固定するためのコ字型の固定具６ｃとを備えている。ここで、入口側かご載置部２ａの載置面と商品載置具６ａとの間には、バーコード入力待ち（バーコード入力前）の購入商品が収容された買い物かごＫを載置するための充分な空間が確保される構成となっている。
【００１６】
上記商品載置具６ａは、図２及び図３に示すように、商品を載置する台又は容器（この実施形態では、商品を盛り積めする半球状の透明容器）からなっている。また、支持部６ｂは、直線パイプ６１と、該直線パイプ６１の上端部に、例えばワンタッチレバー式の高さ調節具６２を用いて、着脱自在かつ伸縮自在に連結されたＵ字状の湾曲パイプ６３とから構成されている。直線パイプ６１及び湾曲パイプ６３は、ステンレス、アルミ、銅などの金属パイプ又はクロムメッキされたＰＥＴなどの樹脂パイプ（棒状部材）から形成されるのが好ましい。支持部６ｂ（直線パイプ６１）の基端部には、コ字型の固定具６ｃが接合され、当該接合は、補強板６４で補強されている。図１に示すように、コ字型の固定具６ｃは、入口側かご載置部２ａの載置板の周縁部を挟んでボルト６５締めすることで、支持部６ｂを固定する。このようなコ字型の固定具６ｃを用いれば、レジカウンタ１Ａの客側通路を狭めることも、店員側及び客側のいずれのレジ動線上にもないので、お客の通行に邪魔とならず、レジ作業の障害となることもない。なお、コ字型の固定具６ｃが、入口側かご載置部２ａの載置板を挟む箇所には、図示せぬ緩衝材が貼着されている。
【００１７】
入口側かご載置部２ａの所定の周縁部には、コ字型の固定具６ｃで固定されることで、支持部６ｂが略垂直に立設され、支持部６ｂ（湾曲パイプ６３）の先端部が入口側かご載置部２ａの載置面の上方に配置されていて、支持部６ｂ（湾曲パイプ６３）の先端部からは、例えば、商品を盛り積めした商品載置具（半球状の透明容器）６ａが鎖やひも６６などで吊止めされている。鎖やひも６６は、湾曲パイプ６３の先端部に取着された係止具６７によって係止されている。なお、上記したように、入口側かご載置部２ａの載置面と商品載置具（半球状の透明容器）６ａとの間には、バーコード入力待ちの購入商品が収容された買い物かごＫを載置するための充分な空間が確保されている。ここで、商品載置具（半球状の透明容器）６ａは、販売したい商品がお客の目に留まり、お客が当該商品を手に取ることができるように、お客（とくに、女性客）の目線以下に設定するのが好ましい。なお、この明細書において、商品を展示陳列するとの概念には、商品が整然と並べられる場合のみならず、商品が雑然と山積みされている場合を含む概念である。
【００１８】
このように、この実施形態の構成によれば、商品販売什器６が、販売したい商品を載置するための商品載置具（半球状の透明容器）６ａと、入口側かご載置部２ａの載置面の上方に商品載置具（半球状の透明容器）６ａを配置して支持するための支持部６ｂと、該支持部６ｂｃをテーブル部２に固定する固定具６ｃとからなると共に、入口側かご載置部２ａの載置面と商品載置具（半球状の透明容器）６ａとの間には、バーコード入力待ちの購入商品が収容された買い物かごＫを載置するための充分な空間が確保されているので、レジカウンタ１Ａの客側通路を狭めることも、商品販売エリアを犠牲にすることもなく、お客が立ち止まる箇所に販売したい商品を効果的に展示陳列することができる。加えて、レジ動線上にもないので、レジ作業を妨げることもない。
【実施形態２】
【００１９】
次に、この発明の第２の実施形態について説明する。
図４は、この発明の第２の実施形態である商品販売什器を備えるレジカウンタの概略構成を示す斜視図、図５は、同商品販売什器の構成を示す斜視図、また、図６は、同商品販売什器の構成を分解して示す分解組立図である。
この実施形態によるレジカウンタ１Ｂが、上述の第１の実施形態（図１乃至図３）のそれと異なるところは、吊下げ式の商品販売什器６に代えて、ネット係止式の商品販売什器７を用いて構成されている点である。
なお、上記以外の点では、第１の実施形態で述べたと概略同様であるので、図４において、図１の構成と同一又は対応する各部については、その説明を省略又は簡略化する。
【００２０】
この実施形態の商品販売什器７は、図４乃至図６に示すように、販売しようとする所定の商品を載置するための商品載置具７ａと、入口側かご載置部２ａの載置面の上方に商品載置具７ａを配置して支持するための支持部７ｂと、該支持部７ｂをテーブル部２に固定するための一対のコ字型の固定具７ｃ、７ｃと、ＰＯＰ広告パネル（Point Of Purchase advertising）７ｄとから構成されている。この第２の実施形態でも、上述の第１の実施形態で述べたと同様に、入口側かご載置部２ａの載置面と商品載置具７ａとの間には、バーコード入力待ち（バーコード入力前）の購入商品が収容された買い物かごＫを載置するための充分な空間が確保される構成となっている。
【００２１】
上記商品載置具７ａは、商品を載置する台又は容器（この実施形態では、商品を展示陳列する箱状又は棚状の陳列容器）からなっている。また、支持部７ｂは、矩形状かつネット状の垂直枠体７１と、該垂直枠体７１から水平に突出する概略矩形状の水平枠体７２とから構成されている。
【００２２】
上記垂直枠体７１は、図５及び図６に示すように、縦枠８１、８１と横枠８２、８２とから矩形の外枠が構成され、矩形の外枠の内側に、縦桟８３と横桟８４、８４、…とが組まれてネットが形成されている。また、上記水平枠体７２の相対向する一対の長辺のうち、一方の長辺には、複数の爪状の係止部８５、８５、…が設けられていて、これら爪状の係止部８５、８５、…が垂直枠体７１のネットに係止されることで、矩形の水平枠体７２が垂直枠体７１から水平に突出する構成となっている。また、上記水平枠体７２の他方の長辺には、商品載置具（箱状又は棚状の陳列容器）７ａも落下を防止するためのガード部８６、８６が設けられている。垂直枠体７１及び水平枠体７２の各構成部材は、ステンレス、アルミ、銅などの金属材又はクロムメッキされたＰＥＴなどの樹脂から形成されるのが好ましい。
【００２３】
上記支持部７ｂ（垂直枠体７１）の基端部には、一対のコ字型の固定具７ｃ、７ｃが接合され、当該接合は、補強板８７、８７で補強されている。図４に示すように、コ字型の固定具７ｃ、７ｃは、入口側かご載置部２ａの載置板の周縁部を挟んでボルト８８締めすることで、支持部６ｂを固定する。このようなコ字型の固定具７ｃ、７ｃを用いれば、レジカウンタ１Ｂの客側通路を狭めることも、店員側及び客側のいずれのレジ動線上にもないので、お客の通行に邪魔とならず、レジ作業の障害となることもない。なお、コ字型の固定具７ｃ、７ｃが、入口側かご載置部２ａの載置板を挟む箇所には、図示せぬ緩衝材が貼着されている。上記ＰＯＰ広告パネル７ｄは、紙媒体などに限らず、表示パネルでも良い。
【００２４】
入口側かご載置部２ａの所定の周縁部には、コ字型の固定具７ｃ、７ｃで固定されることで、支持部７ｂ（垂直枠体７１）が略垂直に立設され、垂直枠体７１の高さ方向所定のネット部位から水平枠体７２が突設されて、入口側かご載置部２ａの載置面の上方に配置されている。水平枠体７２の上面には、例えば、商品が陳列された商品載置具（箱状又は棚状の陳列容器）７ａが載置されている。なお、上記したように、入口側かご載置部２ａの載置面と商品載置具との間には、バーコード入力待ちの購入商品が収容された買い物かごＫを載置するための充分な空間が確保されている。ここで、商品載置具箱状又は棚状の陳列容器）７ａは、販売したい商品がお客の目に留まり、お客が当該商品を手に取ることができるように、お客（とくに、女性客）の目線以下に設定するのが好ましい。
【００２５】
このように、この実施形態の構成によれば、商品販売什器７が、販売したい商品を載置するための商品載置具（箱状又は棚状の陳列容器）７ａと、入口側かご載置部２ａの載置面の上方に商品載置具（箱状又は棚状の陳列容器）７ａを配置して支持するための支持部７ｂと、該支持部７ｂをテーブル部２に固定する固定具７ｃ、７ｃとからなると共に、入口側かご載置部２ａの載置面と商品載置具（箱状又は棚状の陳列容器）７ａとの間には、バーコード入力待ちの購入商品が収容された買い物かごＫを載置するための充分な空間が確保されているので、レジカウンタ１Ｂの客側通路を狭めることも、商品販売エリアを犠牲にすることもなく、お客が立ち止まる箇所に販売したい商品を効果的に展示陳列することができる。加えて、レジ動線上にもないので、レジ作業を妨げることもない。
【００２６】
以上、この発明の実施形態を、図面を参照して詳述してきたが、具体的な構成はこの実施形態に限られるものではなく、この発明の要旨を逸脱しない範囲の設計変更などがあってもこの発明に含まれる。
例えば、上述の第１の実施形態では、Ｕ字状の湾曲パイプ６３を用いて支持部６ｂを構成したが、これに限らず、図７に示すように、Ｌ字状の屈曲パイプ９３を用いて支持部９ｂを構成しても良い。
また、商品載置具として、半球状の透明容器を用いたが、不透明容器でもよく、例えば、籐かごでもよい。
【産業上の利用可能性】
【００２７】
この発明は、スーパマーケットに限らず、ディスカウントストアやコンビニエンスストアなどの店舗、デパートの食品売り場などで用いても好適である。
【符号の説明】
【００２８】
１Ａ，１Ｂ      レジカウンタ
２      テーブル部
２ａ      入口側かご載置部（第１のかご載置部）
２ｂ      入力作業部（作業部）
２ｃ      出口側かご載置部（第２のかご載置部）
３      バーコード入力部
４      レジスタ本体
６、７      吊下げ式の商品販売什器（商品販売什器）
６ａ、７ａ      商品載置具（商品を載置する台又は容器）
６ｂ、７ｂ、９ｂ      支持部
６ｃ、７ｃ      固定具
Ｋ      買い物かご
【図１】
2013255609.tif 000003
【図２】
2013255609.tif 000004
【図３】
2013255609.tif 000005
【図４】
2013255609.tif 000006
【図５】
2013255609.tif 000007
【図６】
2013255609.tif 000008
【図７】
2013255609.tif 000009